(57)【要約】【課題】貯湯タンク内を高温水室と低温水室に区分けすると共に、それぞれの容積を可変することで、給湯中、即ち給水中に高温水と低温水とが混合することを防止して、高温水を効率よく使用することができ、かつ安定した温度で給湯する。【解決手段】貯湯タンク２の上部に設けた給湯排出口６と、貯湯タンク２に設けた給水口５と、貯湯タンク２内における発熱体３側の高温水室ＨＲと、給水口５側の低温水室ＬＲの容積を可変自在に仕切るために、貯湯タンク２内において横方向へ移動自在に設けた可動セパレータ４とを備えた。【選択図】図１
2011220572.tif 000002
【特許請求の範囲】
【請求項１】
貯湯タンク（２）に発熱体（３）を備えた可動セパレータ付き横型電気温水器であって、
前記貯湯タンク（２）の上部に設けた給湯排出口（６）と、
前記貯湯タンク（２）に設けた給水口（５）と、
前記貯湯タンク（２）における前記発熱体（３）側の高温水室（ＨＲ）と、前記給水口（５）側の低温水室（ＬＲ）の容積を可変自在に仕切るために、該貯湯タンク（２）内において横方向へ移動自在に設けた可動セパレータ（４）と、を備えた、ことを特徴とする可動セパレータ付き横型電気温水器。
【請求項２】
前記可動セパレータ（４）は、
前記貯湯タンク（２）の内径壁面に密着するように外径形状を形成し、かつ断熱材から成るセパレータ本体（７）と、
該セパレータ本体（７）内に設けた、前記低温水室（ＬＲ）から低温水を前記高温水室（ＨＲ）へ送る水路（８）と、から成る、ことを特徴とする請求項１の可動セパレータ付き横型電気温水器。
【請求項３】
前記可動セパレータ（４）は、
前記セパレータ本体（７）の中心に開けた、ねじ切りを形成した貫通孔（１１）と、該ねじ切りと螺合するねじ山を形成した駆動軸（１２）を、前記貯湯タンク（２）の横方向に配置し、
該駆動軸（１２）を回動することにより、セパレータ本体（７）が貯湯タンク（２）内を移動するように構成した、ことを特徴とする請求項１又は２の可動セパレータ付き横型電気温水器。
【請求項４】
前記貯湯タンク（２）内に設けた発熱体（３）と給湯排出口（６）との間に、該貯湯タンク（２）の内径壁面を仕切り壁（３２）で区画する加熱室（３３）を更に設けた、ことを特徴とする請求項１の可動セパレータ付き横型電気温水器。
【請求項５】
前記加熱室（３３）は、仕切り壁（３２）の下部に、温水を導入する給水孔（３４）を設け、該仕切り壁（３２）の上部に、該加熱室（３３）内で加熱した高温水を給湯排出口（６）へ導く逆止弁（３５）を具備した導出管（３６）を設けた、ことを特徴とする請求項１の可動セパレータ付き横型電気温水器。
【請求項６】
貯湯タンク（２）に発熱体（３）を設け、該貯湯タンク（２）内において横方向へ自在に移動する可動セパレータ（４）とを備え、該可動セパレータ（４）を横方向へ移動させ、発熱体（３）側の高温水室（ＨＲ）と、給水口（５）側の低温水室（ＬＲ）の容積を可変できる可動セパレータ付き横型電気温水器の給湯方法であって、
前記高温水室（ＨＲ）の温湯を給湯排出口（６）から給湯するときに、同時に前記低温水室（ＬＲ）に給水された低温水が該高温水室（ＨＲ）に流入しないように、前記可動セパレータ（４）を発熱体（３）側へ徐々に移動させる、ことを特徴とする可動セパレータ付き横型電気温水器の給湯方法。
【発明の詳細な説明】
【技術分野】
【０００１】
本発明は、集合住宅又は戸建住宅等に設置される横型の貯湯タンクを有する貯湯式電気温水器に係り、特に貯湯タンク内を高温水室と低温水室の容積を自由に変えられる可動セパレータ付き横型電気温水器及びその給湯方法に関する。
【背景技術】
【０００２】
従来から、貯湯タンク式の電気温水器は、電気料金の安い夜間電力を利用して沸かした温水を貯湯タンクに貯蔵しておき、昼間のピーク時にその温水を使用するものである。このような電気温水器は住宅用に多く使用されている。昼間電力用の加熱装置を具備していないものは、その貯湯タンクの貯湯量は、１日の給湯使用量に設定する必要がある。
【０００３】
貯湯タンクには、大きく分類して、「縦型の貯湯タンク」と「横型の貯湯タンク」の２種類がある。図１４に示すような、縦型の貯湯タンク式電気温水器５１は、加熱装置５２となるニクロム線を銅管に収め、またはニクロム線と銅管の間にアルミナのような熱の伝導体を詰めたものを用い、堅牢な鋼板製の縦長になる貯湯タンク５３の中に装置したものである。その給湯温度は、サーモスタットにより一定に維持するようになっている。この「縦型の貯湯タンク」は、建物のデッドスペースを有効に活用できるという特徴がある。
【０００４】
また、図１５に示すような横型の貯湯タンク式電気温水器６１も、縦型の貯湯タンク式電気温水器５１と同様に加熱装置６２を横長になる貯湯タンク６３の中に装置したものである。
【０００５】
横型のタンクを具備した電気温水器に関する技術としては、例えば特許文献１の特開平０８−２１９５４６号公報「熱湯貯湯式横型電気温水器」のように、屋根裏、階段の下、床下等、通常用いられていない上下寸法の狭いデッドスペースに設置でき、通電開始後より早く高温の熱湯を取り出すことができる熱湯貯湯式横型電気温水器が提案されている。
【特許文献１】特開平０８−２１９５４６号公報
【発明の開示】
【発明が解決しようとする課題】
【０００６】
しかし、横型の貯湯タンク式電気温水器６１は、縦型の貯湯タンク５３ように水温層（上部高温、下部低温の層）に厚さが取れず，各層が薄く、層間の接触面積が大きいものであった。このため、横型の貯湯タンク６３では、上部の温度が早く下がるため、縦型に比べ高温水を有効に使用できないという問題を有していた。そこで、横型の貯湯タンク６３内には攪拌装置６４を内蔵しているものが多かった。
【０００７】
また、特許文献１の「熱湯貯湯式横型電気温水器」は、加熱部内の水のみがヒーターで加熱されるので、ごく短時間に加熱部内の湯温を上昇させることができるが、貯湯タンク内を分離板で加熱部と貯溜部とに区分けしただけで、大量に給湯する場合には対応できないという問題を有していた。
【０００８】
本発明は、かかる問題点を解決するために創案されたものである。すなわち、本発明の目的は、貯湯タンク内を高温水室と低温水室に区分けすると共に、それぞれの容積を可変することで、給湯中、即ち給水中に高温水と低温水とが混合することを防止して、高温水を効率よく使用することができ、かつ安定した温度で給湯できる可動セパレータ付き横型電気温水器及びその給湯方法を提供することにある。
【課題を解決するための手段】
【０００９】
本発明の横型電気温水器は、貯湯タンク（２）に発熱体（３）を備えた可動セパレータ付き横型電気温水器であって、前記貯湯タンク（２）の上部に設けた給湯排出口（６）と、前記貯湯タンク（２）に設けた給水口（５）と、前記貯湯タンク（２）内における前記発熱体（３）側の高温水室（ＨＲ）と、前記給水口（５）側の低温水室（ＬＲ）の容積を可変自在に仕切るために、該貯湯タンク（２）内において横方向へ移動自在に設けた可動セパレータ（４）と、を備えたことを特徴とする。
例えば、前記可動セパレータ（４）は、前記貯湯タンク（２）の内径壁面に密着するように外径形状を形成し、かつ断熱材から成るセパレータ本体（７）と、該セパレータ本体（７）内に設けた、前記低温水室（ＬＲ）から低温水を前記高温水室（ＨＲ）へ送る水路（８）と、から成るものである。
また、前記可動セパレータ（４）は、前記セパレータ本体（７）の中心に開けた、ねじ切りを形成した貫通孔（１１）と、該ねじ切りと螺合するねじ山を形成した駆動軸（１２）を、前記貯湯タンク（２）の横方向に配置し、該駆動軸（１２）を回動することにより、セパレータ本体（７）が貯湯タンク（２）内を移動するように構成したものである。
【００１０】
前記貯湯タンク（２）内に設けた発熱体（３）と給湯排出口（６）との間に、該貯湯タンク（２）の内径壁面を仕切り壁（３２）で区画する加熱室（３３）を更に設け
ることができる。
例えば、前記加熱室（３３）は、仕切り壁（３２）の下部に、温水を導入する給水孔（３４）を設け、該仕切り壁（３２）の上部に、該加熱室（３３）内で加熱した高温水を給湯排出口（６）へ導く逆止弁（３５）を具備した導出管（３６）を設けたものである。
【００１１】
本発明の給湯方法は、貯湯タンク（２）に発熱体（３）を設け、該貯湯タンク（２）内において横方向へ自在に移動する可動セパレータ（４）とを備え、該可動セパレータ（４）を横方向へ移動させ、発熱体（３）側の高温水室（ＨＲ）と、給水口（５）側の低温水室（ＬＲ）の容積を可変できる可動セパレータ付き横型電気温水器の給湯方法であって、前記高温水室（ＨＲ）の温湯を給湯排出口（６）から給湯するときに、同時に前記低温水室（ＬＲ）に給水された低温水が該高温水室（ＨＲ）に流入しないように、前記可動セパレータ（４）を発熱体（３）側へ徐々に移動させることを特徴とする。
【発明の効果】
【００１２】
本発明の構成の横型電気温水器及び給湯方法では、貯湯タンク（２）内に高温水室（ＨＲ）と低温水室（ＬＲ）を仕切る可動セパレータ（４）を、貯湯タンク（２）内において横方向に可動自在に設けたので、給湯排出口（６）から高温水を排出したときに、可動セパレータ（４）を発熱体（３）側へ移動させ、高温水室（ＨＲ）を狭めることで低温水が混合することを防ぐことができる。即ち、給湯と同時に給水した低温水は、先ず可動セパレータ（４）で仕切られた低温水室（ＬＲ）へ流入されるので、直ぐに沸き上げた高温水に混ざらず、温度が不安定にならない。そこで、給湯に際して高温水を効率よく使用することができ、かつ安定した温度で給湯することができる。
【００１３】
一方、冬季のように温水を大量に使用するときは、貯湯タンク（２）内の可動セパレータ（４）をずらして全湯量を沸き上げ、その温水を貯蔵して使用する。一方、温水の使用量が冬季に比べて減少する夏季では、貯湯タンク（２）内の可動セパレータ（４）をずらして一部の湯量のみを沸き上げるようにして熱損失を低減することができる。同様に、湯を使用する家族の人数が増減したときにも、可動セパレータ（４）を移動させて、沸き上げる湯量を調整することができる。
【００１４】
加熱室（３３）を設けた貯湯タンク（２）では、高温水に短時間で沸き上げることができる。しかも、その高温水が低温水と混合しないので、安定した温度の高温水を常時使用
することができる。
【図面の簡単な説明】
【００１５】
【図１】実施例１の可動セパレータ付き横型電気温水器を示す正断面図である。
【図２】可動セパレータの一例を示し、（ａ）は左側面図、（ｂ）は拡大正断面図である。
【図３】可動セパレータを給水口へ移動させ、タンクの全湯量を沸き上げる状態を示す横型電気温水器の正断面図である。
【図４】可動セパレータを横長タンクの中間に移動させ、タンクの一部の湯量を沸き上げる状態を示す横型電気温水器の正断面図である。
【図５】長い水路を形成した可動セパレータの他の実施例を示す分解斜視図である。
【図６】更に長い水路を形成した可動セパレータの他の実施例を示す分解斜視図である。
【図７】水路に代えて冷水取入口に蓋を形成した可動セパレータの他の実施例を示す斜視図である。
【図８】水路に代えて冷水取入口に弁を形成した可動セパレータの他の実施例を示す正断面図である。
【図９】貯湯タンクの形状の変形例を示す横型電気温水器の平断面図である。
【図１０】外部加熱式の発熱体の変形例を示す横型電気温水器の正断面図である。
【図１１】貯湯タンク内に加熱室を設けた実施例２の可動セパレータ付き横型電気温水器を示し、（ａ）は全体の正断面図、（ｂ）は仕切り壁の拡大右側面図である。
【図１２】可動セパレータを給水口へ移動させ、タンクの全湯量を沸き上げる状態を示す横型電気温水器の正断面図である。
【図１３】可動セパレータを横長タンクの中間に移動させ、タンクの一部の湯量を沸き上げる状態を示す横型電気温水器の正断面図である。
【図１４】従来の縦型の貯湯タンク式電気温水器を示す正断面図である。
【図１５】従来の横型の貯湯タンク式電気温水器を示す正断面図である。
【発明を実施するための最良の形態】
【００１６】
本発明の可動セパレータ付き横型電気温水器は、横長に形成した貯湯タンク内における発熱体側の高温水室と、給水口側の低温水室の容積を可変し得るように仕切るために、貯湯タンクの横方向へ移動自在に設けた可動セパレータを備えた横型電気温水器である。
【実施例１】
【００１７】
以下、本発明の好ましい実施の形態を図面を参照して説明する。
図１は実施例１の可動セパレータ付き横型電気温水器を示す正断面図である。図２は可動セパレータの一例を示し、（ａ）は左側面図、（ｂ）は拡大正断面図である。
実施例１の可動セパレータ付き横型電気温水器１は、横長に形成した貯湯タンク２内にその横方向の一端側に、電気料金の安い夜間電力を利用して湯を沸き上げるための発熱体３を設けた。特に、本発明の貯湯タンク２には、その横方向へ自在に移動できる可動セパレータ４を設けた。この可動セパレータ４は、貯湯タンク２内について、発熱体３側の高温水室ＨＲと、水を供給する給水口５側の低温水室ＬＲとに仕切り、かつそれぞれの容積を可変し得る機能を有する。
【００１８】
横長に形成した貯湯タンク２は、所定量の温水を貯蔵できるように、全体を横向きの略円筒形状に形成し、その周囲に真空断熱材等の断熱材を貼り付けたものである。この断熱材は、１３時間放置後の温度低下が２０度未満を満足する程度の素材が必要である。略円筒形状の貯湯タンク２に代えて六角柱、八角柱等の略多角柱形状のような横長に形成したタンクも利用することができる。
【００１９】
この貯湯タンク２は、堅牢な鋼板により製造する。あるいは、合成樹脂製のブロー成型により製造する。例えば、ＰＰＥ（ポリフェノールエチレン）等の合成樹脂材を用いる。但し、タンクとして常時０．１ＭＰａの耐圧力、常時８５℃から最高１００℃程度の耐熱性能を有する合成樹脂材であれば、このＰＰＥに限定されず他の合成樹脂材に種々変更できる。
【００２０】
横長に形成した貯湯タンク２の横方向の一端側の上部に、給湯排出口６を設けた。給水口５は、貯湯タンク２の横方向の他端側（図１の図示上右側）の下部に設けた。なお、給水口５はこの下部以外に、貯湯タンク２他端側の上下方向における中間位置、上部位置に設けることも可能である。給湯排出口６と給水口５共に上部位置というレイアウトの自由度が高い。貯湯タンク２の建物内における配置場所、又は給水管、給湯管の配管方向に応じてレイアウトを可変できる。
【００２１】
給水口５に接続する給水管に空気抜き弁（図示していない）を設けて貯湯タンク２内に流入する冷水に泡、気泡を除去する構造とすることが望ましい。泡、気泡は水流を撹乱し、界面Ｂの平準化を阻害するからである。
【００２２】
可動セパレータ４は、横長の貯湯タンク２の横方向へ移動自在に移動し得る構成である。例えば、横長に形成した貯湯タンク２のときは、その長手方向に移動させる。図１の図示上における左右両方向へ移動可能に構成した。この可動セパレータ４は、貯湯タンク２内における給湯排出口６（図示上の左側）側の高温水室ＨＲと、給水口５（図示上の右側）側の低温水室ＬＲの容積を可変し得るように仕切る。
【００２３】
可動セパレータ４は、横長の貯湯タンク２が円筒形状であれば、その輪切りにした状態の形状、即ち円盤状の部材である。この可動セパレータ４は、低温水室ＬＲの冷水を高温水室ＨＲへ送る機能を有する。なお、貯湯タンク２が略多角柱形状の場合は、その可動セパレータ４もその貯湯タンク２の外径形状に合わせた形状にする。
【００２４】
可動セパレータ４は、図２（ａ）、（ｂ）に示すように、貯湯タンク２の内径壁面に密着するように外径形状を形成し、かつ断熱材から成るセパレータ本体７と、このセパレータ本体７内に、低温水室ＬＲ側から低温水を高温水室ＨＲ側へ送る水路８を設けた。可動セパレータ４の冷水取入口９は、可動セパレータ４の上部に設ける。給水口５から少しでも遠くの位置に形成し、貯湯タンク２内において、ある程度加温された冷水を高温水室ＨＲ側へ送るためである。また、冷水取出口１０は、可動セパレータ４の下部に設けた。高温水室ＨＲで加熱された温湯に冷水が直ぐ混ざらないようにするためである。
【００２５】
可動セパレータ４は、セパレータ本体７の中心に、ねじ切りを形成した貫通孔１１を開け、このねじ切りと螺合するねじ山を形成した駆動軸１２を貯湯タンク２の横方向に配置し、駆動軸１２をモータ１３で回動することにより、セパレータ本体７が貯湯タンク２内を移動するように構成した（スピンドル方式）。このセパレータ本体７が貯湯タンク２内で駆動軸１２と共に回転しない構造にする。例えば、貯湯タンク２の横方向にガイドを形成し、このガイドに可動セパレータ４を沿わせる構造にする（図示していない）。
【００２６】
可動セパレータ４を貯湯タンク２で自在に移動させる構成は、このスピンドル方式に限定されない。例えば、駆動軸１２の回転に代えて、ワイヤーを用いて移動させる構成もある（図示していない）。更に、ベルト駆動方式又はチェーン駆動方式などにより駆動することができる。
【００２７】
図３は可動セパレータを給水口へ移動させ、タンクの全湯量を沸き上げる状態を示す横型電気温水器の正断面図である。
例えば、冬季のように温水を大量に使用するときは、図３に示すように、可動セパレータ４を給水口５へ移動させ、高温水室ＨＲの容積が最大になる状態にする。電気料金の安い夜間電力を利用して発熱体３で湯を沸かし、その高温水を最大に広げた高温水室ＨＲに貯蔵し、昼間の使用ピーク時にその湯を供給する。この状態は、沸き上げ時間帯に高温水を使用することがないときに適している。
【００２８】
図４は可動セパレータを横長タンクの中間に移動させ、タンクの一部の湯量を沸き上げる状態を示す横型電気温水器の正断面図である。
本発明の横長の貯湯タンク２では、内部の冷水の全部を加熱する必要はなく、温水の使用量が冬季に比べて減少する夏季では、貯湯タンク２内の一部の湯量のみを沸き上げ、その温水を貯蔵して使用する。これにより、熱損失を低減させ、熱エネルギーの利用効率を高めることができる。このときは、高温水室ＨＲと低温水室ＬＲが形成されるが、可動セパレータ４が断熱性を有する材質からなるので、高温水室ＨＲ内の温湯は冷却されない。可動セパレータ４を駆動するモータ１３は、後述するように演算部１４からの指令で制御するようになっている。
【００２９】
可動セパレータ４の停止位置については、例えば、横型電気温水器１ごとの給湯量、給水量を計測して、その体積分だけ可動セパレータ４を移動させる。このときの湯量は、可動セパレータ４内（即ち、水路８内）の容量を考慮して、低温水が高温水室ＨＲへ流入しないように少し多い数値に設定する。
【００３０】
本発明の可動セパレータ４は季節ごとに移動するだけでなく、湯を使用する家族の人数が増減したときにも、可動セパレータ４をずらして沸き上げ湯量を調整することができる。勿論、人数が多いときは可動セパレータ４を給水口５へ移動させ、高温水室ＨＲの容積を最大にする。逆に、人数が減ったときは可動セパレータ４を中間位置へ移動させ、高温水室ＨＲの容積を小さくする。
【００３１】
本発明では、給湯中において、給湯排出口６から高温水を排出したときに、可動セパレータ４を発熱体３側へ移動させ、高温水室ＨＲを狭めるようになっている。給湯と同時に給水した低温水は、先ず可動セパレータ４で仕切られた低温水室ＬＲへ流入されるので、直ぐに沸き上げた高温水に混ざらないようにするためである。貯湯タンク２の高温水室ＨＲ内では撹拌装置１５で強制的に撹拌することも可能である。
【００３２】
この可動セパレータ４を発熱体３側へ移動させるときは、例えば給湯量に応じて可動セパレータ４を移動させる。または、可動セパレータ４の高温水室ＨＲ側の冷水取出口１０の温度、又は高温水室ＨＲの下部の温度が一定値以下（例えば５０℃）になると、可動セパレータ４を発熱体３側へ移動させる。このとき温度センサで検知した数値を演算部１４で処理し、この演算部１４からの指令でモータ１３を駆動制御して可動セパレータ４を移動させる。
【００３３】
図５は長い水路を形成した可動セパレータの他の実施例を示す分解斜視図である。
本発明の可動セパレータ４の形状は、断熱材から成るセパレータ本体７と、セパレータ本体７内に、低温水室ＬＲ側から低温水を高温水室ＨＲ側へ送る水路８を設けた。この水路８は構成は、図２（ａ）、（ｂ）に示した形状に限定されない。冷水取入口９から冷水取出口１０までの水路８について、内壁を細かく区切り、その距離を長く形成することが好ましい。水路８途中の熱交換により、温度上昇した冷水を冷水取出口１０から高温水室ＨＲ側へ送り出すためである。
【００３４】
図６は更に長い水路を形成した可動セパレータの他の実施例を示す分解斜視図である。
図示例の可動セパレータ４は、セパレータ本体７を２層構造にして水路８を更に長い距
離構成にしたものである。上述した図５、図６に示す構造は一例で、図示例以外に水路８をパイプで形成することも可能である。
【００３５】
図７は水路に代えて冷水取入口に蓋を形成した可動セパレータの他の実施例を示す斜視図である。
逆に、図７は可動セパレータ４を単純な構造にした例であり、上述した水路８を省略して断熱材を有するセパレータ本体７に、低温水室ＬＲ側から低温水を高温水室ＨＲ側へ送る冷水取入口９に双方へ開閉する構造の蓋１６を設けただけのものである。このような単純な構成の可動セパレータ４でも貯湯タンク２内を高温水室ＨＲと低温水室ＬＲとに仕切ることができる。
【００３６】
図８は水路に代えて冷水取入口に弁を形成した可動セパレータの他の実施例を示す正断面図である。
可動セパレータ４内の水の移動は、原則として給水された水を低温水室ＬＲ側から高温水室ＨＲ側へ送るときのみである。そこで、可動セパレータ４には、その冷水取入口９に逆止弁１７を取り付けた単純な構成でもよい。この逆止弁１７は、冷水取入口９から高温水室ＨＲの温湯が逆流することを防止するためである。
【００３７】
図９は貯湯タンクの形状の変形例を示す横型電気温水器の平断面図である。
本発明の可動セパレータ付き横型電気温水器１は、建物内における配置場所に応じて、貯湯タンク２を略立方体形状又は略直方体形状に形成することができる。例えば図示のように平面視で略正方形状になる貯湯タンク２内にも可動セパレータ４を設け、この可動セパレータ４を横方向へ自在に移動させる。この変形例の可動セパレータ４も、貯湯タンク２内において、発熱体３側の高温水室ＨＲと、水を供給する給水口５側の低温水室ＬＲとに仕切り、かつそれぞれの容積を可変させる機能がある。
【００３８】
図１０は外部加熱式の発熱体の変形例を示す横型電気温水器の正断面図である。
発熱体４は必ずしも貯湯タンク２内に設ける必要はない。図示例のように、貯湯タンク２の外部に外部発熱体１８を設けることができる。例えば貯湯タンク２の一端側の上部に上部循環口１９を、下部に下部循環口２０をそれぞれ開け、これらに循環パイプ２１を連結した。この連結した循環パイプ２１の間にポンプ２２と外部発熱体１８を接続し、貯湯タンク２内の温湯を加熱しながら循環することができる。
【実施例２】
【００３９】
図１１は貯湯タンク内に加熱室を設けた実施例２の可動セパレータ付き横型電気温水器を示し、（ａ）は全体の正断面図、（ｂ）は仕切り壁の拡大右側面図である。
実施例２の可動セパレータ付き横型電気温水器３１は、貯湯タンク２の発熱体３と給湯排出口６との間に、貯湯タンク２の内径壁面を仕切り壁３２で区画して加熱室３３を設けた。実施例２の横型電気温水器３１は、貯湯タンク２を予め３室構成にした。加熱室３３を構成する仕切り壁３２の下部に、低温水を導入する給水孔３４を設け、仕切り壁３２の上部に、加熱室３３内で加熱した温湯を給湯排出口６へ導く、逆止弁３５を具備した導出管３６を設けた。
【００４０】
実施例２の可動セパレータ付き横型電気温水器３１では、加熱室３３を設けたので、高温水に短時間で沸き上げることができる。しかも、その高温水が可動セパレータ４で低温水と混合しないので、安定した温度の高温水を常時使用することができる。
【００４１】
図１２は可動セパレータを給水口へ移動させ、タンクの全湯量を沸き上げる状態を示す横型電気温水器の正断面図である。
加熱室３３を設けた実施例２の横型電気温水器３１についても、上述したように、可動
セパレータ４を使用して、効率よく沸き上げ、また効率よく給湯することができる。例えば冬季のように温水を大量に使用するときは、可動セパレータ４を給水口５へ移動させ、高温水室ＨＲの容積を最大に構成した状態にして使用する。夜間電力を利用して発熱体３で湯を沸かして最大に広げた高温水室ＨＲに貯蔵し、昼間の使用ピーク時にその湯を供給する。
【００４２】
図１１は可動セパレータを横長タンクの中間に移動させ、タンクの一部の湯量を沸き上げる状態を示す横型電気温水器の正断面図である。
温水の使用量が冬季に比べて減少する夏季では、貯湯タンク２内の一部の湯量のみを沸き上げることにより、熱損失を低減させ、熱エネルギーの利用効率を高める。
【００４３】
なお、本発明は上述した発明の実施の形態に限定されず、横長の貯湯タンク２内を高温水室ＨＲと低温水室ＬＲに区分けすると共に、それぞれの容積を可変することで、給湯中、即ち給水中に高温水と低温水とが混合することを防止して、高温水を効率よく使用することができ、かつ安定した温度で給湯できる構成であれば、図示したような構成に限定されず、本発明の要旨を逸脱しない範囲で種々変更できることは勿論である。
【産業上の利用可能性】
【００４４】
本発明の可動セパレータ付き横型電気温水器及びその給湯方法は、家庭用温水器に利用するだけでなく、業務用の大型の貯湯タンクを有する横型電気温水器においても利用することができる。
【符号の説明】
【００４５】
１  横型電気温水器（実施例１）
２  貯湯タンク
３  発熱体
４  可動セパレータ
５  給水口
６  給湯排出口
７  セパレータ本体
８  水路
１１  貫通孔
１２  駆動軸
３１  横型電気温水器（実施例２）
３２  仕切り壁
３３  加熱室
３４  給水孔
３５  逆止弁
３６  導出管
ＨＲ  高温水室
ＬＲ  低温水室
【図１】
2011220572.tif 000003
【図２】
2011220572.tif 000004
【図３】
2011220572.tif 000005
【図４】
2011220572.tif 000006
【図５】
2011220572.tif 000007
【図６】
2011220572.tif 000008
【図７】
2011220572.tif 000009
【図８】
2011220572.tif 000010
【図９】
2011220572.tif 000011
【図１０】
2011220572.tif 000012
【図１１】
2011220572.tif 000013
【図１２】
2011220572.tif 000014
【図１３】
2011220572.tif 000015
【図１４】
2011220572.tif 000016
【図１５】
2011220572.tif 000017